(57)【要約】【課題】計器類の端子構造において、端子組立品１を持ちやすく組み付けやすくする。【解決手段】端子組立品１を端子ネジ１１、板バネ１２、端子金具１３とで構成する。板バネ１２を第１開放片１２１、第２開放片１２２、中間片１２３及び接触片１２４でコ字状に形成する。端子金具１３を第１屈曲片１３１、第２屈曲片１３２、ナット部１３３で構成する。ナット部１３３に対して第１屈曲片１３１と第２屈曲片１３２とを直角にする。【選択図】図１
2005353354.tif 000002
【特許請求の範囲】
【請求項１】
計器類のケース背面に設けられた端子の構造であって、
ケース背面に設けられた端子台に嵌挿される複数の端子組立品を備え、
前記端子組立品は、外部機器の電線をネジ止めする端子ネジと、ケース内の回路基板に接続される弾性の接触片を有する板バネと、前記板バネを挟んで前記端子ネジに螺合するナット部を有する端子金具とで構成され、
前記端子金具は、前記ナット部が前記端子組立品の嵌挿方向に対して直角とされるとともに、該ナット部から直角に前記板バネの接触片近傍まで一体的に延びる第１屈曲片と、該ナット部から直角に該第１屈曲片に相対する側に延びる第２屈曲片とを有する釣り針状の形状に形成されたことを特徴とする計器類の端子構造。
【請求項２】
計器類のケース背面に設けられた端子の構造であって、
ケース背面の対向する縁に各々設けられた２列のネジ端子台と、該２列のネジ端子台の間に設けられたスクリューレス端子台とで構成されたことを特徴とする計器類の端子構造。
【発明の詳細な説明】
【技術分野】
【０００１】
本発明は、計器類に電気機器を外部接続する接続用の端子の構造、特にＤＩＮサイズのパネル計器類の端子構造に関する。
【背景技術】
【０００２】
従来、この種のパネル計器の端子構造として、特開平８−２５０１６８号公報（特許文献１）、特許第３３８０９５０号公報（特許文献２）、特許第３４７３３６１号公報（特許文献３）、特開２００１−９３６０３号公報（特許文献４）、特開２００３−１０９６８８号公報（特許文献５）に開示されたものがある。これらの従来の構造は、端子ネジと端子バネ金具とナット部材とを計器類のケースに装着して構成されている。そして、特許文献１及び特許文献３の従来技術では、ナット部材が断面略Ｌ字状に形成され、特許文献２、特許文献４及び特許文献５の従来技術では、ナット部材が断面略コ字状に形成されている。
【０００３】
また、特許文献３の従来技術では、その図６に開示されているように１列１２極の端子台が計器類のケースの背面から見て、左右に各々１列、中央に１列使用できるように構成されている。このような構造は特許文献２、特許文献５の従来技術でも同様である。
【特許文献１】特開平８−２５０１６８号公報
【特許文献２】特許第３３８０９５０号公報
【特許文献３】特許第３４７３３６１号公報
【特許文献４】特開２００１−９３６０３号公報
【特許文献５】特開２００３−１０９６８８号公報
【発明の開示】
【発明が解決しようとする課題】
【０００４】
前記特許文献２、３、５における端子台は３列であり、特許文献４における端子台は２列であり、いずれも複数列構成のため、電線同士の干渉を避けるために端子ネジは回路基板と平行ではなく、角度をつけてナット部材にねじ込まれる。そのため、例えば特許文献３では、ナット部材は、その屈曲部を鈍角（図１の場合）とするか、またはその屈曲部を鋭角（図７の場合）とした、変形のＬ字状とせざるを得ない。また、同様に特許文献２、４及び５では、ナット部材はその屈曲部の一方を鋭角、他方を鈍角とした、変形のコ字状とせざるを得ない。
【０００５】
このため、変形のＬ字状ナット部材、及び前記変形のコ字状ナット部材であるため、端子台に組み付けるに際して、持ちづらくて組み立てにくいという問題点があった。特に、屈曲部が鈍角の変形のＬ字状ナット部材、屈曲部が鋭角の変形のＬ字状ナット部材と２つの部材を要するため、金型費用の増大、部材管理費の増大など経済性の面で改良の余地があり、ひいては計器類のコストの増大を招くという問題点がある。
【０００６】
本発明は上記の事情に鑑みてなされたもので、扱いやすくコストを低減した計器類の端子構造を提供することを課題とする。
【課題を解決するための手段】
【０００７】
請求項１の計器類の端子構造は、計器類のケース背面に設けられた端子の構造であって、ケース背面に設けられた端子台に嵌挿される複数の端子組立品を備え、前記端子組立品は、外部機器の電線をネジ止めする端子ネジと、ケース内の回路基板に接続される弾性の接触片を有する板バネと、前記板バネを挟んで前記端子ネジに螺合するナット部を有する端子金具とで構成され、前記端子金具は、前記ナット部が前記端子組立品の嵌挿方向に対して直角とされるとともに、該ナット部から直角に前記板バネの接触片近傍まで一体的に延びる第１屈曲片と、該ナット部から直角に該第１屈曲片に相対する側に延びる第２屈曲片とを有する釣り針状の形状に形成されたことを特徴とする。
【０００８】
請求項２の計器類の端子構造は、計器類のケース背面に設けられた端子の構造であって、ケース背面の対向する縁に各々設けられた２列のネジ端子台と、該２列のネジ端子台の間に設けられたスクリューレス端子台とで構成されたことを特徴とする。
【０００９】
請求項１の計器類の端子構造において、端子組立品の端子金具は、ナット部に対して第１屈曲片と第２屈曲片が直角となるコ字状となっているので、この端子組立品を計器のケース背面の端子台に組み付けるに際して、持ちやすく組み付けやすい。また、どの位置の端子台についても同一の端子金具でよいので、コストも低減する。
【００１０】
請求項２の計器類の端子構造においては、ケース背面の中程のスクリューレス端子台に外部機器の電線を取り付けるときは電線をケース背面に対して直角に取付、２列のネジ端子台に外部機器の電線をネジ止めするときは、該電線をケース背面の縁から外側に配置すればよい。すなわち、従来のように他の電線との干渉を防止するために電線を斜めに配置するための変形Ｌ字型の端子金具や変形コ字型の端子金具を用いる必要がない。これにより、互いの電線が干渉することがないので、２列のネジ端子台において、請求項１と同様なコ字状の端子金具を備えた端子組立品を用いることができる。
【発明の効果】
【００１１】
請求項１の計器類の端子構造によれば、扱いやすくコストを低減した計器類の端子構造が得られる。
【００１２】
請求項２の計器類の端子構造によれば、請求項１と同様な効果が得られるとともに、ネジ端子台とスクリューレス端子台とで多数の電線を接続することができる。
【発明を実施するための最良の形態】
【００１３】
次に、本発明の計器類の端子構造の実施形態を図面を参照して説明する。図１は本発明の実施形態の端子構造を示す計器の端子部の一部側断面図、図２は同端子部の分解側面図（図２(A) ）及び端子組立品の側面図（図２(B) ）、図３は同端子構造を適用した計器の背面図（図３(A) ）及び側面図（図３(B) ）、図４は同計器のケース背面の背面図（図４(A) ）及び裏面図（図４(B) である。なお、図１は図３(A) 及び図４におけるＡ−Ａ矢視断面に対応している。
【００１４】
図３において、計器のケース背面１０には、その両側縁に２列のネジ端子台１０Ａ，１０Ａが設けられている。ネジ端子台１０Ａ，１０Ａには端子嵌合部１１０が極数分（この例では左右１０極づつの計２０極分）形成されており、この端子嵌合部１１０に端子組立品１が填め込まれている。また、ネジ端子台１０Ａ，１０Ａの間には端子台嵌合孔１２０が形成され、この端子台嵌合孔１２０内にスクリューレス端子台２が填め込まれている。なお、ネジ端子台１０Ａ，１０Ａの各端子嵌合部１１０における端子組立部品１は全て同じ構造になっている。
【００１５】
図１及び図２に示すように、端子組立部品１は、端子ネジ１１、板バネ１２及び端子金具１３を図２の一点鎖線の方向に組み付けて構成されている。そして、この端子組立部品１をケース背面１０の端子嵌合部１１０に対して図１の矢印Ｔの方向（以後、「端子挿入方向」という。）に挿入し、ネジ端子台１０Ａ，１０Ａが構成されている。
【００１６】
板バネ１２は導電性の弾性板の打ち抜き加工により形成されており、端子挿入方向に対して直角な中間片１２３と、この中間片１２３の一端から端子挿入方向に略平行に延びる第１開放片１２１と、中間片１２３の他端から端子挿入方向に略平行に延びる第２開放片１２２と、第１開放片１２１の端部から中間片１２３側に湾曲して延びる接触片１２４とを有している。すなわち、第１開放片１２１と第２開放片１２２とは互いに対向し、それぞれ中間片１２３に対して略直角の角度を成し、コ字状に屈曲して形成されている。また、第１開放片１２１と第２開放片１２２の略中間部には、切り出し加工により外側に切り出された係止片１２１ａ，１２２ａが、中間片１２３との境界方向に端部を突き出すように形成されている。なお、中間片１２３の中央には端子ネジ１１の雄ネジ部１１ａが貫通する透孔１２３ａが形成されている。
【００１７】
端子金具１３は板バネ１２より厚みのある導電性の部材の打ち抜き加工により形成されており、端子挿入方向に対して直角なフランジを有するナット部１３３と、このナット部１３３の一端から端子挿入方向に略平行に延びる第１屈曲片１３１と、ナット部１３３の他端から端子挿入方向に略平行に延びる第２屈曲片１３２とを有している。第１屈曲片１３１と第２屈曲片１３２とはそれぞれナット部１３３に対して略直角の角度を成し、コ字状に屈曲して形成されている。また、第１屈曲片１３１は第２屈曲片１３２よりも長く形成されている。なお、ナット部１３３にはその中央に端子ネジ１１の雄ネジ部１１ａが螺合する雌ネジ部１３３ａが形成されている。
【００１８】
以上の構成により、板バネ１２の第１開放片１２１、第２開放片１２２及び中間片１２３を、それぞれ端子金具１３の第１屈曲片１３１、第２屈曲片１３２及びナット部１３３の外側に当てて、該板バネ１２を端子金具１３に組み付け、端子ネジ１１を、板バネ１２の透孔１２３ａを貫通してその雄ネジ部１１ａを端子金具１３の雌ネジ部１３３ａに螺合してネジ止めし、図２(B) の端子組立部品１が組み立てられる。そして、図１に示したように、この端子組立品１をケース背面１０の端子嵌合部１１０に組み付ける。このとき、隣接する端子嵌合部１１０を仕切る内部のリブ１６０の側面に形成された段部１６１の端面１６１ａに、端子金具１３のナット部１３３が当接し、該端子組立品１が止まる。
【００１９】
この組み付け時に端子組立品１を例えば指で保持するとき、板バネ１２の中間片１２３と第１開放片１２１との境界部分と、中間片１２３と第２開放片１２２との境界部分とを、挟むように持つことができる。このとき端子金具１３に第１屈曲片１３１と第２屈曲片１３２との両部材を押さえることになるので、板バネ１２の第１開放片１２１及び第２開放片１２２が撓むこともない。さらに、端子金具１３の第１屈曲片１３１と第２屈曲片１３２とはそれぞれナット部１３３に対して略直角の角度を成しているので、第１屈曲片１３１と第２屈曲片１３２との両部材を押さえる力はナット部１３３と平行な一直線上に作用して、端子組立品１に対して偶力としては作用せず、この端子組立品１が指の間で回転することがない。したがって、きわめて持ちやすく、端子嵌合部１１０に対する組み付け作業が容易になる。
【００２０】
また、組み付けた状態で、板バネ１２の第１開放片１２１は端子金具１３の第１屈曲片１３１とケース背面１０の側壁１３０との間に配置され、第１開放片１２１の係止片１２１ａの端部はケース背面１０の段部１０ａに係合する。また、板バネ１２の第２開放片１２２は、その付け根部分が端子金具１３の第２屈曲片１３２と背面ケース１０の端子嵌合部１１０の開口部１１０ａとの間に配置される。さらに、第２開放片１２２の端部は、背面ケース１０の端子嵌合部１１０の内部に形成されたストッパ１４０と、背面ケース１０の内側に形成されたリブ１５０との間に配置される。そして、第２開放片１２２の係止片１２２ａの端部は背面ケース１０の段部１０ｂに係合する。したがって、端子組立品１が端子嵌合部１１０から抜けることがない。
【００２１】
さらに、端子組立品１を端子嵌合部１１０から抜くような何らかの力が働くと、この力は第１開放片１２１と第２開放片１２２とを内側に湾曲するように作用するが、第１開放片１２１は第１屈曲片１３１に当接し、第２開放片１２２はストッパ１４０に当接するので、第１開放片１２１及び第２開放片１２２の湾曲が阻止され、端子組立品１が端子嵌合部１１０から抜けることがない。
【００２２】
また、この端子組立品１に対して、図１の矢印Ｐ，Ｑのように左右方向に力が加えられても、矢印Ｐの力に対しては第１屈曲片１３１が第１開放片１２１を挟んで端子嵌合部１１０の開口部１１０ｂに当接し、矢印Ｑの力に対しては第２屈曲片１３２が第２開放片１２２を挟んで端子嵌合部１１０の開口部１１０ａに当接するので、いずれの場合も、端子組立品１を端子嵌合部１１０に対して堅牢に位置を保持することができる。
【００２３】
また、計器内に収容される回路基板２０が端子嵌合部１１０の内部のリブ１６０，１７０の間に嵌挿され、回路基板２０の接触端子が板バネ１２の接触片１２４に接触されて電気的に導通される。ここで、端子金具１３の第１屈曲片１３１は、板バネ１２の第１開放片１２１の係止片１２１ａの位置を越えて、その端部１３１Ａが、板バネ１２の第１開放片１２１と接触片１２４との境界（屈曲部分）の近くに位置するようになる。これにより、この第１開放片１２１と接触片１２４との境界の位置、すなわち、接触片１２４の固定端の位置を確実に所定位置に固定することができ、回路基板２０を取り付けるときに、板バネ１２の第１開放片１２１と接触片１２４との境界の部分が邪魔にならずに、回路基板２０を確実に嵌挿することができる。
【００２４】
また、実施形態の計器はＤＩＮ４８×９６のサイズで形成され、前記ネジ端子台１０Ａ，１０ＡはＭ３．５の端子ネジ１１を用い、１列は１０極より成る構成となっている。したがって、例えば前記特許文献３はＤＩＮ４８×９６サイズのパネル計器であるが、Ｍ３の端子ネジを用いて１列は１２極よりなるので、Ｍ３の端子ネジが小さすぎて配線工事の作業性に問題があったが、これに比べて上記実施形態の構成によれば、配線工事の作業性が向上する。
【図面の簡単な説明】
【００２５】
【図１】本発明の実施形態の端子構造を示す計器の端子部の一部側断面図である。
【図２】同端子部の分解側面図及び端子組立品の側面図である。
【図３】同端子構造を適用した計器の背面図及び側面図である。
【図４】同計器のケース背面の背面図及び裏面図である。
【符号の説明】
【００２６】
１      端子組立品
１２    板バネ
１３    端子金具
１２１  第１開放片
１２２  第２開放片
１２３  中間片
１３１  第１屈曲片
１３２  第２屈曲片
１３３  ナット部
【図１】
2005353354.tif 000003
【図２】
2005353354.tif 000004
【図３】
2005353354.tif 000005
【図４】
2005353354.tif 000006